(57)【要約】【課題】  ＦＲＣ（Fame Rate Control）方式で複数フレームを１周期として点滅回数を変化させて複数の階調を表現する階調データを生成するにあたって、小規模の回路を用いてフリッカを抑える。【解決手段】  表示フレーム周期でカウントするフレームカウンタ１と、表示水平座標周期でカウントするＸ座標カウンタ２と、表示垂直座標周期でカウントするＹ座標カウンタ３と、フレームカウンタ１より出力されたフレームカウント値を、Ｘ座標カウンタ２より出力されたＸ座標カウント値と、Ｙ座標カウンタ３より出力されたＹ座標カウント値とで各画素で異なるフレームカウント値に変換するフレームカウンタ変換手段４と、フレームカウンタ変換手段４で変換されたフレームカウント値と、多値入力画像データとをビット演算して１ビットの表示データとして出力する表示データ生成手段５とを備える階調データ生成回路等。【選択図】  図１
2006084747.tif 000002
【特許請求の範囲】
【請求項１】
複数フレームを１周期として点滅回数を変化させて複数の階調を表現する階調データを生成する階調データ生成回路であって、
表示フレーム周期でカウントするフレームカウンタと、
表示水平座標周期でカウントするＸ座標カウンタと、
表示垂直座標周期でカウントするＹ座標カウンタと、
前記フレームカウンタより出力されたフレームカウント値を、前記Ｘ座標カウンタより出力されたＸ座標カウント値と、前記Ｙ座標カウンタより出力されたＹ座標カウント値とで各画素で異なるフレームカウント値に変換するフレームカウンタ変換手段と、
該フレームカウンタ変換手段で変換されたフレームカウント値と、多値入力画像データとをビット演算して１ビットの表示データとして出力する表示データ生成手段とを備えることを特徴とする階調データ生成回路。
【請求項２】
前記フレームカウンタより出力されたフレームカウント値を複数に分割し、分割された各カウント値に基づいて異なる画素で異なるフレームカウント値とするフレームカウンタセレクト手段を備えることを特徴とする請求項１に記載の階調データ生成回路。
【請求項３】
前記フレームカウンタ変換手段及び／またはフレームカウンタセレクト手段は、バスを介して演算制御手段に接続され、該演算制御手段から所定の変換方法及び／または所定の分割方法から一の変換方法及び／または分割方法を選択可能であることを特徴とする請求項１または２に記載の階調データ生成回路。
【請求項４】
複数フレームを１周期として点滅回数を変化させて複数の階調を表現する階調データを生成する方法であって、
表示フレーム周期でカウント値を生成し、
表示水平座標周期でカウント値を生成し、
表示垂直座標周期でカウント値を生成し、
前記表示フレーム周期でのカウント値を、前記表示水平座標周期でのカウント値と、前記表示垂直座標周期でのカウント値とで各画素で異なるフレームカウント値に変換し、
該変換されたフレームカウント値と、多値入力画像データとをビット演算して１ビットの表示データとして出力することを特徴とする階調データ生成方法。
【請求項５】
前記表示フレーム周期でのカウント値を複数に分割し、分割された各カウント値に基づいて異なる画素で異なるフレームカウント値とすることを特徴とする請求項４に記載の階調データ生成方法。
【発明の詳細な説明】
【技術分野】
【０００１】
本発明は、ＦＲＣ（Fame Rate Control）方式による階調表現を用いた液晶パネル表示制御回路等に適用することのできる階調データ生成回路及び階調データ生成方法に関する。
【背景技術】
【０００２】
従来、単純マトリックス液晶パネルの階調制御方法として、ｎビットの画像データを、複数フレームを１周期として点滅回数を変化させて複数の階調を表現するＦＲＣ方式が知られている。ここで、５ビットの画像データを階調表示させるＦＲＣ方式について具体的に説明する。
【０００３】
５ビットの画像データは、０００００ｂ（０）、００００１ｂ（１）〜１１１１０ｂ（１Ｅ）、１１１１１ｂ（１Ｆ）の３２通りのデータが存在し、最大で３２階調を表現することができる。３２階調表示を行う場合には、３２フレーム周期でＯＮ（１を出力）とＯＦＦ（０を出力）の出現回数を変化させる。
【０００４】
例えば、画像データが０００００ｂ（０）の場合には、３２フレームで［００００００００００００００００００００００００００００００００］ｂとＯＮ（１を出力）の出現回数は０回であり、０１０００ｂ（８）の場合には、３２フレームで［０００１０００１０００１０００１０００１０００１０００１０００１］ｂとＯＮ（１を出力）の出現回数は８回であり、１０１１０ｂ（２２）の場合には、３２フレームで［１１１０１１１０１１１０１０１０１１１０１１１０１１１０１０１０］ｂとＯＮ（１を出力）の出現回数は２２回であり、１１１１１ｂ（３１）の場合には、３２フレームで［１１１１１１１１１１１１１１１１１１１１１１１１１１１１１１１１］ｂとＯＮ（１を出力）の出現回数は３２回となる。上記ＯＮ／ＯＦＦの点滅パターンデータは、３２階調×３２ビット幅の階調テーブル（レジスタ）として構成されており、入力された５ビットの画像データ値により、３２通りの階調テーブル（レジスタ）より１つが選択されて間引きデータとなり、フレーム周期毎に順次１ビットの表示データとして出力される。
【０００５】
この点滅パターンデータは、ＯＮ（１を出力）／ＯＦＦ（０を出力）を時間的に集中させると、みかけ上のフレーム周波数が下がるため、いわゆるフリッカの原因となる。そのため、点滅パターンデータは、なるべく時間的に分散されることが望ましい。例えば、画像データが０１０００ｂ（８）の場合には、点滅パターンデータを［００００００００００００００００００００００００１１１１１１１１］ｂとしてしまうと、ＯＦＦ（０を出力）している時間が２４フレーム周期連続し、ＯＮ（１を出力）している時間が８フレーム周期連続してしまうので、ＯＮ（１を出力）／ＯＦＦ（０を出力）が人間の目で認識しやすくなり、フリッカの原因となる。そのため、［０００１０００１０００１０００１０００１０００１０００１０００１］ｂのように、ＯＮ（１を出力）／ＯＦＦ（０を出力）を分散させたパターンとすることが望ましい。
【０００６】
また、同じ点滅パターンデータが空間的に集中した場合でも、フリッカの原因となるため、点滅パターンデータは、なるべく空間的にも分散されることが望ましい。例えば、あるドット座標とその近辺のドット座標が同じ画像データ０１０００ｂ（８）の場合には、各々のドット座標は、同じ点滅パターンデータ［０００１０００１０００１０００１０００１０００１０００１０００１］ｂが選択され、各々の座標でＯＮ（１を出力）／ＯＦＦ（０を出力）が同時に発生してしまうので、ＯＮ（１を出力）／ＯＦＦ（０を出力）が人間の目で認識しやすくなり、結果としてフリッカの原因となる。そのため、同じ画像データ０１０００ｂ（８）の点滅パターンデータ［０００１０００１０００１０００１０００１０００１０００１０００１］ｂでも、座標毎に［００１０００１０００１０００１０００１０００１０００１０００１０］ｂ、［０１０００１０００１０００１０００１０００１０００１０００１００］ｂ、［１０００１０００１０００１０００１０００１０００１０００１０００］ｂのように変化させ、あるドット座標とその近辺のドット座標とでＯＮ（１を出力）／ＯＦＦ（０を出力）が同時に発生しないように分散させることが望ましい。
【０００７】
そこで、例えば、特許文献１には、階調テーブル（レジスタ）から出力された点滅パターンデータを間引き制御部にて奇数画素と偶数画素、及び奇数ラインと偶数ラインで点滅位相を異ならせることにより、フリッカを低減する方法が記載されている。また、特許文献２には、各ドットの位相補正値を出力する位置補正テーブル（レジスタ）を実装して各々の座標毎に点滅位相を異ならせることにより、フリッカを低減する方法が記載されている。
【０００８】
【特許文献１】特許第２６７９５９５号公報
【特許文献２】特開２０００−１０５２８号公報
【発明の開示】
【発明が解決しようとする課題】
【０００９】
しかし、上記従来の階調データ生成回路等においては、点滅パターンデータを格納する階調テーブル（レジスタ）や、各ドットの位相補正値を出力する位置補正テーブル（レジスタ）等のメモリ回路と、この階調テーブル（レジスタ）のデータを、フリッカを低減するような表示データに変換する回路とが必要となり、回路規模が大きくなるという問題があった。
【００１０】
そこで、本発明は、上記従来の技術における問題点に鑑みてなされたものであって、階調テーブル（レジスタ）等のメモリ回路を用いることなく、小さい回路規模で、かつフリッカを抑えることのできる階調データ生成回路及び階調データ生成方法を提供することを目的とする。
【課題を解決するための手段】
【００１１】
上記目的を達成するため、本発明は、複数フレームを１周期として点滅回数を変化させて複数の階調を表現する階調データを生成する階調データ生成回路であって、表示フレーム周期でカウントするフレームカウンタと、表示水平座標周期でカウントするＸ座標カウンタと、表示垂直座標周期でカウントするＹ座標カウンタと、前記フレームカウンタより出力されたフレームカウント値を、前記Ｘ座標カウンタより出力されたＸ座標カウント値と、前記Ｙ座標カウンタより出力されたＹ座標カウント値とで各画素で異なるフレームカウント値に変換するフレームカウンタ変換手段と、該フレームカウンタ変換手段で変換されたフレームカウント値と、多値入力画像データとをビット演算して１ビットの表示データとして出力する表示データ生成手段とを備えることを特徴とする。
【００１２】
そして、本発明によれば、フレームカウント値をパラメータとすることで階調データを生成しているため、従来のように階調テーブル（レジスタ）等のメモリ回路を用いなくとも階調データを生成することができるとともに、フレームカウント値を、Ｘ座標カウント値と、Ｙ座標カウント値とで各画素で異なるフレームカウント値に変換するため、階調データは、時間的及び空間的に分散され、小さな回路規模でフリッカを抑えることが可能となる。
【００１３】
前記階調データ生成回路において、前記フレームカウンタより出力されたフレームカウント値を複数に分割し、分割された各カウント値に基づいて異なる画素で異なるフレームカウント値とするフレームカウンタセレクト手段を備えるようにすることができる。これによって、点滅のタイミングをさらに空間的に分散させることができ、階調数は低下するが、フリッカをさらに低減することができる。
【００１４】
前記階調データ生成回路において、前記フレームカウンタ変換手段及び／またはフレームカウンタセレクト手段は、バスを介して演算制御手段に接続され、該演算制御手段から所定の変換方法及び／または所定の分割方法から一の変換方法及び／または分割方法を選択可能とすることができる。これによって、フリッカ低減のパターン等を変更することができ、入力される画像イメージに対応した調整が可能となる。
【００１５】
また、本発明は、複数フレームを１周期として点滅回数を変化させて複数の階調を表現する階調データを生成する方法であって、表示フレーム周期でカウント値を生成し、表示水平座標周期でカウント値を生成し、表示垂直座標周期でカウント値を生成し、前記表示フレーム周期でのカウント値を、前記表示水平座標周期でのカウント値と、前記表示垂直座標周期でのカウント値とで各画素で異なるフレームカウント値に変換し、該変換されたフレームカウント値と、多値入力画像データとをビット演算して１ビットの表示データとして出力することを特徴とする。これによって、上述のように、階調データは、時間的及び空間的に分散され、フリッカを抑えることが可能となる。
【００１６】
前記階調データ生成方法において、前記表示フレーム周期でのカウント値を複数に分割し、分割された各カウント値に基づいて異なる画素で異なるフレームカウント値とすることができる。これによって、上述のように、階調数が低下するものの、点滅のタイミングをさらに空間的に分散させることができ、フリッカをさらに低減することができる。
【発明の効果】
【００１７】
以上のように、本発明によれば、小さい回路規模で、かつフリッカを抑えることのできる階調データ生成回路及び階調データ生成方法を提供することが可能となる。
【発明を実施するための最良の形態】
【００１８】
次に、本発明の実施の形態として、５ビットの入力画像データを階調表示させる場合を例にとって詳細に説明する。この場合、最大３２階調となり３２フレームを１周期として階調を表現する。
【００１９】
図１は、本発明にかかる階調データ生成回路の第１の実施の形態の構成を示す。フレームカウンタ１は、表示フレーム周期でカウントする５ビットのフリーランカウンタである。カウント値は、０から３１を繰り返す。Ｘ座標カウンタ２は、表示水平座標周期でカウントする４ビットのフリーランカウンタである。カウント値は、０から１５を繰り返す。Ｙ座標カウンタ３は、表示垂直座標周期でカウントする４ビットのフリーランカウンタである。カウント値は、０から１５を繰り返す。フレームカウンタ変換回路４は、フレームカウント値Ｓ１を、Ｘ座標カウント値Ｓ２とＹ座標カウント値Ｓ３とをパラメータとして、各画素で異なるフレームカウント値に変換する。このフレームカウンタ変換回路４は、ＣＰＵバス６に接続され、図示しないＣＰＵを介して任意の変換方法を選択することができる。表示データ生成回路５は、フレームカウンタ変換回路４から出力されたフレームカウンタ変換値Ｓ４と、入力画像データＳ５とをビット演算して１ビットの表示データＳ６として出力する。
【００２０】
図２は、入力画像データＳ５（０〜３１）に対して、各フレームにどのような１ビットのデータを出力するかを示した図である。以下に入力画像データＳ５とフレームカウント値Ｓ１の関係について説明する。
【００２１】
例えば、入力画像データＳ５が０４ｈ（４）の場合には、３２フレーム中に４回出力データをＯＮ（１を出力）する必要がある。どのフレームにＯＮ（１を出力）させるかは、フレームカウント値Ｓ１をパラメータとして、ビット０＆ビット１＆ビット２の演算を行うことにより、図２に示すフレームカウント値Ｓ１の時にＯＮ（１を出力）することができる。すなわち、入力画像データＳ５が０４ｈ（４）の場合には、７フレーム目（フレームカウント値Ｓ１が００１１１ｂ）と、１５フレーム目（フレームカウント値Ｓ１が０１１１１ｂ）と、２３フレーム目（フレームカウント値Ｓ１が１０１１１ｂ）と、３１フレーム目（フレームカウント値Ｓ１が１１１１１ｂ）において、ビット０＆ビット１＆ビット２の演算式によりＯＮ（１を出力）となり、他のフレームではＯＦＦ（０を出力）になる。
【００２２】
他例として、入力画像データＳ５が０８ｈ（８）の場合には、３２フレーム中に８回出力データをＯＮ（１を出力）する必要がある。どのフレームにＯＮ（１を出力）させるかは、フレームカウント値Ｓ１をパラメータとしてビット０＆ビット１の演算を行うことにより、図２に示すフレームカウント値Ｓ１の時にＯＮ（１を出力）することができる。すなわち、入力画像データＳ５が０８ｈ（８）の場合には、３フレーム目（フレームカウント値Ｓ１が０００１１ｂと）、７フレーム目（フレームカウント値Ｓ１が００１１１ｂ）と、１１フレーム目（フレームカウント値Ｓ１が０１０１１ｂ）と、１５フレーム目（フレームカウント値Ｓ１が０１１１１ｂ）と、１９フレーム目（フレームカウント値Ｓ１が１００１１ｂ）と、２３フレーム目（フレームカウント値Ｓ１が１０１１１ｂ）と、２７フレーム目（フレームカウント値Ｓ１が１１０１１ｂ）と、３１フレーム目（フレームカウント値Ｓ１が１１１１１ｂ）において、ビット０＆ビット１の演算式によりＯＮ（１を出力）になり、他のフレームではＯＦＦ（０を出力）になる。
【００２３】
他の入力画像データＳ５の場合も同様に、各々フレームカウント値のビット演算式を与えることにより、図２に示すような階調データテーブル（点滅パタンデータ）を実現することができる。この点滅パタンデータは、ＯＮ（１を出力）／ＯＦＦ（０を出力）を時間的に集中させると、みかけ上のフレーム周波数が下がり、フリッカの原因となるため、図２では３２フレーム中になるべく均等にＯＮ（１を出力）／ＯＦＦ（０を出力）が出現するようにしている。尚、図２に示した点滅パタンデータは一例を示すものであり、与える演算式によって他の点滅パタンデータを採用することもできる。
【００２４】
次に、フレームカウンタ変換回路４について説明する。上記の階調データテーブル（点滅パタンデータ）の生成処理だけでは、あるドット座標とその近辺のドット座標とが同じ画像データの場合には、同じデータのＯＮ（１を出力）／ＯＦＦ（０を出力）が同時に発生し、フリッカの原因となる。これを防止するため、Ｘカウント値Ｓ２とＹカウント値Ｓ３をパラメータとして追加し、フレームカウント値Ｓ１を各ドット座標で異なるフレームカウント値になるように変換する。図３では、１６ドット×１６ドット領域でＸカウント値Ｓ２と、Ｙカウント値Ｓ３の同一重みビットを、単純にＸＯＲ（排他的論理和演算）した場合の演算結果を示し、この演算結果をフレームカウント値Ｓ１に加算することにより、フレームカウンタ変換値Ｓ４として出力する。
【００２５】
例えば、すべてのドットで入力画像データＳ５が０４ｈ（４）の場合には、フレームカウント値Ｓ１をそのまま使用して、上記の階調データテーブル（点滅パタンデータ）の生成処理を実施すると、すべてのドットで７フレーム目と、１５フレーム目と、２３フレーム目と、３１フレーム目とで同時にＯＮ（１を出力）し、フリッカの原因となる。そこで、フレームカウンタ変換値Ｓ４を使用し、上記の階調データテーブル（点滅パタンデータ）の生成処理を実施すると、ドットによってＯＮ（１を出力）となるタイミングが変化し、フリッカを低減することができる。
【００２６】
図３に示すように、Ｘ座標カウント値Ｓ２が５ｈ（５）で、Ｙ座標カウント値Ｓ３が１ｈ（１）の場合、すなわちドット座標（５、１）には、フレームカウント値Ｓ１＋４として、１１フレーム目と、１９フレーム目と、２７フレーム目と、３フレーム目とにＯＮ（１を出力）し、Ｘ座標カウント値Ｓ２が６ｈ（６）でＹ座標カウント値Ｓ３が４ｈ（４）の場合、すなわちドット座標（６、４）には、フレームカウント値Ｓ１＋２として、９フレーム目と、１７フレーム目と、２５フレーム目と、１フレーム目とにＯＮ（１を出力）する。
【００２７】
他例として、図４では、１６ドット×１６ドット領域でＸカウント値Ｓ２のビットの並びを１３０２、Ｙカウント値Ｓ３のビットの並びを３２１０と並べ変えてＸＯＲした場合の演算結果を示し、Ｘ座標カウント値Ｓ２が５ｈ（５）でＹ座標カウント値Ｓ３が１ｈ（１）の場合、すなわちドット座標（５、１）には、フレームカウント値Ｓ１＋２として、９フレーム目と、１７フレーム目と、２５フレーム目と、１フレーム目とにＯＮ（１を出力）し、Ｘ座標カウント値Ｓ２が６ｈ（６）でＹ座標カウント値Ｓ３が４ｈ（４）の場合、すなわちドット座標（６、４）には、フレームカウント値Ｓ１＋Ｄとして、２０フレーム目と、２８フレーム目と、４フレーム目と、１２フレーム目とに同時にＯＮ（１を出力）する。
【００２８】
さらに、他例として、図５では、Ｘ座標カウント値Ｓ２の下位３ビットとＹ座標カウント値Ｓ３の下位３ビットのみを使用し、８ドット×８ドット領域でＸカウント値Ｓ２のビットの並びを２１０、Ｙカウント値Ｓ３のビットの並びを１０２と並べ変えてＸＯＲした場合の演算結果を示す。
【００２９】
このフレームカウンタ変換回路４には、ＣＰＵバス６が接続され、ＣＰＵを介して、Ｘカウント値Ｓ２とＹカウント値Ｓ３の参照するビット幅、及び演算するときのビットの並びを選択することができ、入力される画像イメージに応じて、最もフリッカを低減するような最適な適用領域及び変換パターンを選択することが可能である。
【００３０】
表示データ生成回路５は、あるドット座標の入力画像データＳ５が入力されると、その入力画像データＳ５により、３２パターン存在する演算式より１つの演算式を選択し、その時のフレームカウンタ変換値Ｓ４を演算式に代入し、１ビットの表示データＳ６として出力する。
【００３１】
次に、本発明の第２の実施の形態について図面を参照しながら詳細に説明する。
【００３２】
図６は、本発明にかかる階調データ生成回路の第２の実施の形態の構成を示すブロック図である。本実施の形態では、フレームカウンタ１とフレームカウンタ変換回路４との間に、フレームカウンタセレクト回路７が設けられている。このフレームカウンタセレクト回路７は、Ｘ座標カウント値Ｓ２と、Ｙ座標カウント値Ｓ３との各々の下位１ビットを参照し、２ドット×２ドット領域において、使用するフレームカウント値Ｓ１の使用範囲が選択されフレームカウンタ変換回路４に出力される。
【００３３】
図７は、フレームカウンタセレクト回路７において、ドット座標と、使用するフレームカウント値Ｓ１の範囲との関係を示した図であり、Ａの示す座標では、フレームカウント値Ｓ１の０〜１５を繰り返し（図２参照）、Ｂの示す座標では、フレームカウント値Ｓ１の１６〜３１を繰り返してフレームカウンタ変換回路４に出力する。その場合、図７のＡの部分とＢの部分とで異なる点滅パターンを生成するようにしておけば、フレームカウンタセレクト回路７により、ＯＮ（１を出力）／ＯＦＦ（０を出力）の点滅をさらに空間的に分散させることができ、階調数は低下するが、フリッカを低減することができる。
【００３４】
このフレームカウンタセレクト回路７には、ＣＰＵバス６が接続され、ＣＰＵを介して、この回路を適用する／適用しないを選択することができ、どのドット座標にどの範囲のフレームカウント値Ｓ１を適用するかをも選択可能とし、画像イメージに適した選択をするように構成することができる。
【００３５】
例えば、図８及び図２に示すように、Ｃの示す座標のときはフレームカウント値Ｓ１の０〜７を繰り返し、Ｄの示す座標のときはフレームカウント値Ｓ１の８〜１５を繰り返し、Ｅの示す座標のときはフレームカウント値Ｓ１の１６〜２３を繰り返し、Ｆの示す座標のときは、フレームカウント値Ｓ１の２４〜３１を繰り返してフレームカウンタ変換回路４に出力させたり、また、図９に示すように、すべての座標（Ａ）に対してフレームカウント値０〜１５のみ繰り返しフレームカウンタ変換回路４に出力させるようにして、階調数は低下するが、ＯＮ（１を出力）／ＯＦＦ（０を出力）の点滅をさらに空間的に分散させることができる。
【図面の簡単な説明】
【００３６】
【図１】本発明にかかる階調データ生成回路の第１の実施の形態の構成を示すブロック図である。
【図２】図１の階調データ生成回路において、入力画像データに対して各フレームに出力するデータを示す図である。
【図３】図１の階調データ生成回路において、１６ドット×１６ドット領域でＸカウント値とＹカウント値の同一重みビットを単純にＸＯＲした場合の演算結果を示す図である。
【図４】図１の階調データ生成回路において、１６ドット×１６ドット領域でＸカウント値のビットの並びを１３０２、Ｙカウント値のビットの並びを３２１０と並べ変えてＸＯＲした場合の演算結果を示す図である。
【図５】図１の階調データ生成回路において、８ドット×８ドット領域でＸカウント値のビットの並びを２１０、Ｙカウント値のビットの並びを１０２と並べ変えてＸＯＲした場合の演算結果を示す図である。
【図６】本発明にかかる階調データ生成回路の第２の実施の形態の構成を示すブロック図である。
【図７】図６の階調データ生成回路のフレームカウンタセレクト回路において、ドット座標と使用するフレームカウント値の範囲の関係を示した図である。
【図８】図６の階調データ生成回路のフレームカウンタセレクト回路において、ドット座標と使用するフレームカウント値の範囲の関係を示した図である。
【図９】図６の階調データ生成回路のフレームカウンタセレクト回路において、ドット座標と使用するフレームカウント値の範囲の関係を示した図である。
【符号の説明】
【００３７】
１      フレームカウンタ
２      Ｘ座標カウンタ
３      Ｙ座標カウンタ
４      フレームカウンタ変換回路
５      表示データ生成回路
６      ＣＰＵバス
７      フレームカウンタセレクト回路
Ｓ１    フレームカウント値
Ｓ２    Ｘ座標カウント値
Ｓ３    Ｙ座標カウント値
Ｓ４    フレームカウンタ変換値
Ｓ５    入力画像データ
Ｓ６    表示データ
【図１】
2006084747.tif 000003
【図２】
2006084747.tif 000004
【図３】
2006084747.tif 000005
【図４】
2006084747.tif 000006
【図５】
2006084747.tif 000007
【図６】
2006084747.tif 000008
【図７】
2006084747.tif 000009
【図８】
2006084747.tif 000010
【図９】
2006084747.tif 000011